(57)【要約】      （修正有）【課題】憩いの場としての効果を損なうことなく、また耐用期間を短くすることなく、屋外の居住空間で映像コンテンツを楽しませることが可能な屋外用投映システム及びスクリーン装置を提供する。【解決手段】屋外の居住空間２に配置され投映面２０を有する防水性のスクリーン装置３と、スクリーン装置３の投映面２０に対し離間した位置から映像を投射するプロジェクター４とを具備する。特にスクリーン装置３は、屋外の居住空間２の周りに配置される塀材１５からなり、居住空間２に面する側の塀材１５の平坦な壁面に投映面２０を有する。また、塀材１５は、内部に中空空間を有する木材製の塀本体と、塀本体の外表面を被覆するモルタル層及び防水層を備えて構成されている。【選択図】図１
0003172955.tif 000002
【実用新案登録請求の範囲】
【請求項１】
屋外の居住空間に配置され投映面を有する防水性のスクリーン装置と、
該スクリーン装置の前記投映面に対し離間した位置から映像を投射するプロジェクターと
を具備することを特徴とする屋外用投映システム。
【請求項２】
前記スクリーン装置は、前記屋外の居住空間の周りに配置される塀材からなり、
前記居住空間に面する側の前記塀材の平坦な壁面に前記投映面を有する
ことを特徴とする請求項１に記載の屋外用投映システム。
【請求項３】
前記屋外の居住空間の周りに配置されるコンクリート製の仕切壁をさらに備え、
前記塀材は、前記仕切壁の上に設置され前記仕切壁に外観が類似した非コンクリート製の軽量部材からなる
ことを特徴とする請求項２に記載の屋外用投映システム。
【請求項４】
プロジェクターから投射される映像を映し出すための投映面を有する投映用スクリーン装置であって、
縦方向に配設された一対の平行な縦板、該縦板の上端に配設された上板、及び前記縦板の下端に配設された下板からなる枠体、並びに該枠体の両開口をそれぞれ閉塞する一対のパネル材を備えて構成され、内部に中空空間を有する木材製の塀本体と、
前記一対のパネル材を前記中空空間内で連結する連結桟部材と、
前記塀本体の外表面を被覆するモルタル層及び防水層と
を具備することを特徴とする投映用スクリーン装置。
【考案の詳細な説明】
【技術分野】
【０００１】
本考案は、屋外の居住空間で映像を表示することが可能な屋外用投映システム、及びそのシステムで用いられる投映用スクリーン装置に関するものである。
【背景技術】
【０００２】
屋外の居住空間として、家屋から屋外に突き出して設けられたテラスが従来から知られている（例えば、特許文献１参照）。また、最近では、家屋と庭とを繋ぐ憩いの場として、屋根または囲いを有するガーデンルームも提案されている。このようなテラスやガーデンルーム（以下、「屋外の居住空間」という）は、花や緑に囲まれた空間の中で自然を満喫することができるため、体や心を休めるための憩いの空間として利用されている。
【考案の概要】
【考案が解決しようとする課題】
【０００３】
しかし、このような屋外の居住空間は、家庭生活を楽しむための空間としてはあまり利用されておらず、改善の余地があった。
【０００４】
そこで、本願出願人は、屋外の居住空間を用いて、映画等の映像コンテンツを楽しむことを考えた。しかしながら、限られた空間内にディスプレイなど大型の表示装置を配置すると、居住空間が狭く感じられるようになり、また表示装置の存在が花等の自然物にそぐわないため、憩いの場としての効果が半減するおそれがあった。また、屋外の居住空間は、雨風や気温の変化等、電子機器を故障または劣化させる要因が多く、表示装置の耐用期間が大幅に短くなるという問題も有していた。
【０００５】
そこで、本考案は、上記の実状に鑑み、憩いの場としての効果を損なうことなく、また耐用期間を短くすることなく、屋外の居住空間で映像コンテンツを楽しませることが可能な屋外用投映システム、及び投映用スクリーン装置の提供を課題とするものである。
【課題を解決するための手段】
【０００６】
本考案にかかる屋外用投映システムは、
「屋外の居住空間に配置され投映面を有する防水性のスクリーン装置と、
該スクリーン装置の前記投映面に対し離間した位置から映像を投射するプロジェクターと
を具備する」
ことを特徴とするものである。
【０００７】
ここで、「屋外の居住空間」としては、庭、テラス、バルコニー、ベランダ、及びガーデンルーム等、家屋の周りの生活空間を挙げることができる。なお、ガーデンルーム等、屋根のある居住空間、さらには仕切り壁で囲まれた空間も「屋外の居住空間」の概念に含まれる。
【０００８】
また、「スクリーン装置」の設置形態は特に限定されるものではないが、例えば、地面、デッキ、架台、またはブロック等の載置面上に設置するもの、または屋根や軒の下面から吊り下げるものを採用することができる。また、「スクリーン装置」は、固定状態に設置してもよく、収納可能な状態で設置してもよい。なお、収納可能な構成としては、例えば投映面をシート材で構成するとともに、内蔵されたスプリングによってシート材を巻取る構成を採用することができる。
【０００９】
また、「プロジェクター」の設置形態は特に限定されるものではないが、屋外の居住空間に屋根がある場合には、屋根の下面（天井）から吊り下げるようにすればよい。これによれば雨による影響を軽減することが可能となる。
【００１０】
また、「プロジェクター」は、パソコン、ＤＶＤプレーヤー、及びビデオカメラ等の再生機器から送信される映像コンテンツを、接続端子に接続された信号線を介して取込むようにしてもよく、無線で取込むようにしてもよい。また、プロジェクターにＤＶＤプレーヤーを内蔵するようにしてもよい。
【００１１】
本考案によれば、プロジェクターからスクリーン装置の投映面に映像が投射されると、投映面上に映像が映し出され、屋外の居住空間で、映像を鑑賞することが可能になる。ここで、スクリーン装置は、プロジェクターから投射された映像を映し出す機能さえ備えていればよいため、ディスプレイ等の表示装置と比べると、全体の形状及び構造が極めてシンプルとなる。そして、映像が表示されない場合には、スクリーン装置は単なる壁や仕切りとしてのイメージを喚起させることから、周りの風景（自然物）にマッチさせることが容易となる。
【００１２】
また、スクリーン装置は、防水性であるため雨水の浸入が防止され、屋根のない居住空間に配置した場合でも、耐用期間を長くすることが可能となる。なお、スクリーン装置は、ディスプレイのような電子機器とは異なるため、外表面に防水層を設けるなど比較的簡単な構成で、本来の機能を活かしつつ防水性を保つことが可能となる。一方、プロジェクターは、スクリーン装置の投映面から離れた位置に配置されるため、例えば軒下や屋内等、雨による影響を受けない場所に配置することが可能となる。すなわち、プロジェクターにおいても耐用期間を長くすることが可能となる。
【００１３】
また、本考案の屋外用投映システムにおいて、
「前記スクリーン装置は、前記屋外の居住空間の周りに配置される塀材からなり、
前記居住空間に面する側の前記塀材の平坦な壁面に前記投映面を有する」
構成とすることができる。
【００１４】
本考案によれば、屋外の居住空間の周りに塀材が配置されており、その塀材の壁面、特に居住空間に面する側の平坦な壁面に投映面が形成されている。つまり、居住空間の境界を明確にしたり目隠しをしたりするための塀材が、スクリーン装置として用いられ、居住空間内から視認可能となっている。したがって、全体の構成が一層シンプルなものとなり、スクリーン装置を安価に製造することが可能となる。また、スクリーン装置を別途設置するためのスペースがいらず、居住空間の広さを維持することが可能となる。さらに、構造物である塀材に投映面が形成されているため、風が吹いても煽ることがなく、投射された映像を明瞭に映し出すことができる。
【００１５】
また、本考案の屋外用投映システムにおいて、
「前記屋外の居住空間の周りに配置されるコンクリート製の仕切壁をさらに備え、
前記塀材は、前記仕切壁の上に設置され前記仕切壁に外観が類似した非コンクリート製の軽量部材からなる」
構成とすることができる。
【００１６】
ここで、「非コンクリート製の軽量部材」としては、特に限定されるものではないが、内部を木材で形成し外表面にモルタルを塗布したもの、合成樹脂またはアルミニウム等の金属から形成したものを例示することができる。
【００１７】
本考案によれば、屋外の居住空間の周りにコンクリート製の仕切壁が配置されており、仕切壁によって居住空間の境界が仕切られている。ところで、この仕切壁の高さを高くすれば、映像が見やすいように比較的高い位置にスクリーン装置を形成することが可能となるが、コンクリート製の仕切壁は、法律や設計基準によって高さの制限を受けることから、大きなスクリーン装置を構築することは困難であり、また補強材などが別途必要となる。
【００１８】
これに対し、本考案の塀材は、仕切壁の上に設置され非コンクリート製の軽量部材から構成されているため、比較的大きなスクリーン装置を構成することが可能になる。しかも、この塀材は、外観形状が仕切壁に類似していることから、コンクリート製の仕切壁が延出されているように一体感を生じさせることができ、スクリーン装置を目立たせないようにすることができる。
【００１９】
一方、本考案にかかる投映用スクリーン装置は、
「プロジェクターから投射される映像を映し出すための投映面を有する投映用スクリーン装置であって、
縦方向に配設された一対の平行な縦板、該縦板の上端に配設された上板、及び前記縦板の下端に配設された下板からなる枠体、並びに該枠体の両開口をそれぞれ閉塞する一対のパネル材を備えて構成され、内部に中空空間を有する木材製の塀本体と、
前記一対のパネル材を前記中空空間内で連結する連結桟部材と、
前記塀本体の外表面を被覆するモルタル層及び防水層と
を具備する」
ことを特徴とするものである。
【００２０】
ここで、「連結桟部材」の材質は特に限定されるものではないが、例えば木材製の板材または角材、中空または中実の金属棒、もしくは金属製のアングル材等を使用することができる。
【００２１】
本考案は、プロジェクターから投射される映像を映し出す投映用スクリーン装置に関するものであり、塀本体は、一対の縦板、上板、下板、及び一対のパネル材が一体化された六面構造であるため、各方向から働く応力に対して強度が高くなる。また、連結桟部材を備えるため、さらに強度が補強され、一層剛性の高い構造となる。また、木材製で中空構造であるため、コンクリートブロック塀やコンクリート塀に比べて非常に軽くなる。したがって、スクリーン装置の高さを大きな値に設定しても、補強材を用いることなく塀材として必要とされる強度を実現することが可能となる。つまり、本考案では、コンクリートブロック塀やコンクリート塀でスクリーン装置を構成する場合と比べ、スクリーン装置における高さの自由度が高くなり、法律や設計基準による制限を受けることなく、大きな投映面を形成することが可能になる。
【００２２】
また、塀本体の外表面がモルタル層で被覆されているため、塀材の強度及び剛性をさらに高めることが可能になる。さらに、塀本体の外表面が防水層によっても被覆されているため、塀本体内部への雨水の浸入が防止される。したがって、木材製の塀本体の腐食が抑制され、塀材の耐用期間が長くなる。なお、モルタルとして防水性を有するものを用いる場合には、モルタル層及び防水層を兼用することができる。
【００２３】
なお、塀材の一番外側に塗装層を設けるようにしてもよく、これによれば、塀材の意匠性を高めることができるとともに、塗装層を白色とすることで、プロジェクターから投射される映像の反射率を高め、映像を見えやすくすることが可能となる。
【考案の効果】
【００２４】
このように、本考案の屋外用投映システムによれば、憩いの場としての効果を損なうことなく、また耐用期間を短くすることなく、屋外の居住空間で映像コンテンツを楽しませることができる。
【図面の簡単な説明】
【００２５】
【図１】本実施形態の屋外用投映システムの構成を示す側面図である。
【図２】（ａ）は屋外用投映システムのスクリーン装置を構成する塀材を居住空間側（内側）から見た斜視図であり、（ｂ）は塀材を反対側（外側）から見た斜視図である。
【図３】（ａ）は塀材の横断面図であり、（ｂ）は塀材の縦断面図である。
【考案を実施するための形態】
【００２６】
以下、本実施形態の屋外用投映システム１について、図１乃至図３に基づき説明する。なお、本実施形態に記載された「右」及び「左」は、屋内側から屋外側を見た場合の方向である。
【００２７】
図１に示すように、屋外用投映システム１は、屋外の居住空間２に配置されており、防水性のスクリーン装置３と、スクリーン装置３に対して映像を投射するプロジェクター４と、音声を出力するスピーカ５とを備えて構成されている。プロジェクター４及びスピーカ５は、屋内に配置された再生機器（図示しない）に接続することが可能となっている。なお、再生機器としては、ＤＶＤプレーヤー、パソコン、またはビデオカメラ等を挙げることができる。
【００２８】
屋外の居住空間２（以下、単に「居住空間２」という）は、家屋７の周りの生活空間であり、図１では家屋７から庭に向かって突き出して設けられたガーデンルームを示している。具体的に、このガーデンルームは、地面に敷設されたテラスデッキ８と、テラスデッキ８の上方を覆う屋根９と、屋根９を支える複数本の支柱１０とで構築されており、内部にはテーブル１１及びイス１２等の家具が備えられている。また、居住空間２の周りには、コンクリートブロック塀によって構築された所定高さ（例えば１．１ｍ）の仕切壁１３が配設されている。なお、本例の仕切壁１３は、平面視Ｌ字形の形状となっており、地面から立設されている。
【００２９】
スクリーン装置３は、仕切壁１３の上に設置された塀材１５からなり、イス１２に腰掛けた際の目の高さと略一致する高さに配置されている。図２（ａ）に示すように、スクリーン装置３は、Ｌ字形の仕切壁１３（図１参照）の形状と合致するように、居住空間２に対向する本体部１６と、本体部１６の右端部から外側に向かって延出されたサイド部１７とから構成され、平面視Ｌ字形の形状を呈している。そして、本体部１６における居住空間２に面する側の平坦な壁面１８が、映像を映し出す投映面２０となっている。なお、投映面２０の大きさは特に限定されるものではないが、本例では、スクリーンのサイズが１００型となるように、幅が２１００ｍｍ、高さが１３００ｍｍの値に設定されている。また、図２（ｂ）に示すように、本体部１６における外側の壁面には二つの凹部２１が形成されている。この凹部２１は、塀材１５の意匠性を高めるためのものであり、その内部に、ガラス製のレンズ（図示しない）と、そのレンズを通して光を放射するＬＥＤ（図示しない）が収容されるように形成されている。ここで、塀材１５が本考案の投映用スクリーン装置及び軽量部材に相当する。
【００３０】
塀材１５についてさらに詳細に説明する。図３に示すように、塀材１５は、木材製の塀本体２２をベース部材として構成されている。塀本体２２は、本体部１６に対応する構成として、縦方向に配設された一対の平行な縦板２３、それらの縦板２３の上端間に横設された上板２４、及び縦板２３の下端間に横設された下板２５からなる矩形の枠体２６と、枠体２６における居住空間２側の開口を閉鎖する内側パネル材２７と、枠体２６における外側の開口を閉鎖する外側パネル材２８とを備えており、内部に中空空間が形成されている。また、塀本体２２の内部には、内側パネル材２７及び外側パネル材２８を中空空間内で連結する格子状の連結桟部材（具体的には縦方向に配設された複数の縦桟部材３０、及び横方向に配設された複数の横桟部材３１）が配設されている。なお、縦桟部材３０の両端は、それぞれ上板２４及び下板２５の内面にも連結されており、横桟部材３１の両端は、それぞれ左右の縦板２３の内面にも連結されている。また、横桟部材３１を貫通するように、金属製の支柱パイプ３２が、左右方向に所定の間隔で並設されている。これらの支柱パイプ３２は、それぞれ交差する横桟部材３１に対し固定金具（図示しない）によって固定されるとともに、支柱パイプ３２の下端が、塀本体２２の下面よりも下方に延出されており、延出した部分を仕切壁１３（図１参照）の上面に埋め込むことにより、仕切壁１３に対して塀材１５が支持されるようになっている。なお、それぞれの支柱パイプ３２は、本体部１６の外側の面に形成された凹部２１と干渉しないように、上端の高さが制限されている。ここで、内側パネル材２７及び外側パネル材２８が本考案のパネル材に相当し、縦桟部材３０及び横桟部材３１が本考案の連結桟部材に相当する。
【００３１】
また同様に、塀本体２２は、サイド部１７に対応する構成として、縦方向に配設された一対の縦板３４、それらの縦板３４の上端間に横設された上板（図示しない）、及び縦板３４の下端間に横設された下板（図示しない）からなる矩形の枠体３５と、枠体３５の右側の開口を閉鎖する右側パネル材３６と、枠体３５の左側の開口を閉鎖する左側パネル材３７とを備えており、内部に中空空間が形成されている。また、右側パネル材３６及び左側パネル材３７を中空空間内で連結する複数の横桟部材３８も配設されている。また、横桟部材３８には、一本の支柱パイプ３９が嵌挿されている。
【００３２】
塀本体２２の外表面には、全体を被覆するようにモルタル及び防水剤が塗られており、これによりモルタル層及び防水層からなる被覆層４１が形成されている。モルタルは、セメント、石灰、及び砂を混ぜて水で練ったものであり、塀材１５の強度及び剛性を高めている。また、防水層は、塀材１５の内部への雨水の浸入を防止している。
【００３３】
また、被覆層４１の外表面には、塗料が塗布され、塗装層４２が形成されている。なお、塗料の色は特に限定されるものではないが、本例では、図２に示すように、塀材１５の縁部分である第一領域４３に対して黒色の塗料が塗布され、第一領域４３で囲まれた第二領域４４に対して白色の塗料が塗布されている。特に、映像が映し出される投映面２０は、黒色の第一領域４３で囲まれた白色の第二領域４４に位置しており、投射された映像の反射率を高めるとともに、周囲の黒い枠によって映像を際立たせている。
【００３４】
一方、プロジェクター４は、図１に示すように、屋根９の下面に取付金具４７を介して吊下げられており、スクリーン装置３の投映面２０に対し離間した位置から映像を投射するようになっている。特に、プロジェクター４は、居住者の視線に入りにくい比較的高い位置であって、且つ、雨水による影響を受けることのない家屋７の外壁近傍に配置されている。また、プロジェクター４は、映画等の映像を大画面で表示させることが可能なホームプロジェクターであり、詳細な説明は省略するが、ランプから出た光をＲＧＢの３色に分解して、各光を３枚ある液晶パネルに個別に透過させた後、プリズムで再合成して、投射レンズ４６から投射する方式を採用している。
【００３５】
このように、本実施形態の屋外用投映システム１によれば、プロジェクター４からスクリーン装置３の投映面２０に映像が投射されると、投映面２０上に映像が映し出される。そして、屋外の居住空間２という開放感がある中で映像を鑑賞させることにより、映像に対する臨場感及び迫力を高めることが可能になる。また、映し出された映像を周囲の風景と重ね合わせることで、立体感が高められ、映像を風景の一部として楽しませることも可能になる。
【００３６】
また、本実施形態の屋外用投映システム１によれば、居住空間２の周りに配置された塀材１５をスクリーン装置３として用いるため、映像が表示されない場合でも周りの風景（自然物）にマッチさせることができ、憩いの場としての効果が損なわれることを抑制できる。また、全体の構成が一層シンプルとなり、スクリーン装置３を安価に製造することが可能となる。また、設置スペースが不要となることから居住空間２の広さを維持することができる。さらに、風が吹いても煽ることがないため、投射された映像を明瞭に映し出すことができる。
【００３７】
また、本実施形態の屋外用投映システム１によれば、スクリーン装置３は、防水性であるため雨水の浸入が防止され、屋根のない居住空間２に配置した場合でも、耐用期間を長くすることができる。また、プロジェクター４は、スクリーン装置３から離して配置することができるため、雨水による影響を受け難くすることができる。
【００３８】
さらに、本実施形態の屋外用投映システム１によれば、塀材１５は、木材製で中空構造であるため、コンクリートブロック塀やコンクリート塀に比べて非常に軽くなり、スクリーン装置３の高さを大きな値に設定しても、補強材を用いることなく塀材１５として必要とされる強度を実現することができる。つまり、スクリーン装置３における高さの自由度が高くなり、法律や設計基準による制限を受けることなく、大きな投映面２０を形成することができる。また、塀材１５は、仕切壁１３と外観が類似しているため、コンクリート製の仕切壁１３が延出されているように一体感を生じさせることができ、スクリーン装置３を目立たせないようにすることができる。
【００３９】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４０】
すなわち、上記実施形態では、スクリーン装置３を塀材１５によって構成するものを示したが、例えば投映面をシート材で構成し、内蔵されたスプリングによってシート材を巻取る方式、いわゆる「ロールスクリーン」を用いるようにしてもよい。これによれば、映像を表示させない場合、シート材を巻き取って収納することでスクリーン装置の存在が目立ち難くなり、自然の風景に対する違和感を軽減することが可能になる。
【００４１】
また、上記実施形態では、プロジェクター４を、居住空間２の屋根９から吊下げて配置する構成を示したが、プロジェクター４を屋内に設置し、家屋７の窓を通して屋外のスクリーン装置３に映像を投射するようにしてもよい。これによれば、雨水や風等によるプロジェクター４への影響を一層低減することが可能となる。
【００４２】
また、上記実施形態では、塀材１５として平面視形状がＬ字形ものを示したが、直線状（一字形）に形成してもよい。これによれば、塀材１５の構成が一層シンプルとなり、さらに安価に提供することが可能となる。
【００４３】
また、上記実施形態では、塀材１５の基礎となる仕切壁１３をコンクリートブロックから構築するものを示したが、仕切壁１３のベース部分を塀材１５と同じように木材で構成し、内部に中空空間を形成するようにしてもよい。また、仕切壁１３を塀材１５と一体で形成してもよい。これによれば、仕切壁１３が軽量化されるとともに、大きく形成しても強度を確保することが可能になる。
【００４４】
さらに、上記実施形態では、音声を出力する手段としてのスピーカ５を別途備えるものを示したが、プロジェクター４あるいは塀材１５に内蔵してもよい。特に塀材１５に内蔵した場合には、映し出される映像の近傍から音声が出力されるため、音声と映像との一体感を高めることができる。
【符号の説明】
【００４５】
１  屋外用投映システム
２  屋外の居住空間
３  スクリーン装置
４  プロジェクター
１３  仕切壁
１５  塀材（投映用スクリーン装置，軽量部材）
１８  壁面
２０  投映面
２２  塀本体
２３  縦板
２４  上板
２５  下板
２６  枠体
２７  内側パネル材（パネル材）
２８  外側パネル材（パネル材）
３０  縦桟部材（連結桟部材）
３１  横桟部材（連結桟部材）
４１  被覆層（モルタル層，防水層）
【先行技術文献】
【特許文献】
【００４６】
【特許文献１】特開平１１−１３２５９号
【図１】
0003172955.tif 000003
【図２】
0003172955.tif 000004
【図３】
0003172955.tif 000005
【手続補正書】
【提出日】平成23年11月4日(2011.11.4)
【手続補正１】
【補正対象書類名】実用新案登録請求の範囲
【補正対象項目名】全文
【補正方法】変更
【補正の内容】
【実用新案登録請求の範囲】
【請求項１】
屋外の居住空間に配置され投映面を有する防水性のスクリーン装置と、
該スクリーン装置の前記投映面に対し離間した位置から映像を投射するプロジェクターと
を具備することを特徴とする屋外用投映システム。
【請求項２】
前記スクリーン装置は、前記屋外の居住空間の周りに配置される塀材からなり、
前記居住空間に面する側の前記塀材の平坦な壁面に前記投映面を有する
ことを特徴とする請求項１に記載の屋外用投映システム。
【請求項３】
前記屋外の居住空間の周りに配置されるコンクリート製の仕切壁をさらに備え、
前記塀材は、前記仕切壁の上に設置され前記仕切壁に外観が類似した非コンクリート製の軽量部材からなる
ことを特徴とする請求項２に記載の屋外用投映システム。
【請求項４】
請求項１乃至請求項３のいずれか一つに記載の屋外用投映システムで使用される、屋外の居住空間に配置されてプロジェクターから投射される映像を映し出すための投映面を有するスクリーン装置であって、
縦方向に配設された一対の平行な縦板、該縦板の上端に配設された上板、及び前記縦板の下端に配設された下板からなる枠体、並びに該枠体の両開口をそれぞれ閉塞する一対のパネル材を備えて構成され、内部に中空空間を有する木材製の塀本体と、
前記一対のパネル材を前記中空空間内で連結する連結桟部材と、
前記塀本体の外表面を被覆するモルタル層及び防水層と
を具備することを特徴とするスクリーン装置。
【手続補正３】
【補正対象書類名】明細書
【補正対象項目名】０００１
【補正方法】変更
【補正の内容】
【０００１】
本考案は、屋外の居住空間で映像を表示することが可能な屋外用投映システム、及びそのシステムで用いられる投映用のスクリーン装置に関するものである。
【手続補正４】
【補正対象書類名】明細書
【補正対象項目名】０００５
【補正方法】変更
【補正の内容】
【０００５】
そこで、本考案は、上記の実状に鑑み、憩いの場としての効果を損なうことなく、また耐用期間を短くすることなく、屋外の居住空間で映像コンテンツを楽しませることが可能な屋外用投映システム、及投映用のスクリーン装置の提供を課題とするものである。
【手続補正５】
【補正対象書類名】明細書
【補正対象項目名】００１９
【補正方法】変更
【補正の内容】
【００１９】
一方、本考案にかかるスクリーン装置は、
「請求項１乃至請求項３のいずれか一つに記載の屋外用投映システムで使用される、屋外の居住空間に配置されてプロジェクターから投射される映像を映し出すための投映面を有するスクリーン装置であって、
縦方向に配設された一対の平行な縦板、該縦板の上端に配設された上板、及び前記縦板の下端に配設された下板からなる枠体、並びに該枠体の両開口をそれぞれ閉塞する一対のパネル材を備えて構成され、内部に中空空間を有する木材製の塀本体と、
前記一対のパネル材を前記中空空間内で連結する連結桟部材と、
前記塀本体の外表面を被覆するモルタル層及び防水層と
を具備する」
ことを特徴とするものである。
【手続補正６】
【補正対象書類名】明細書
【補正対象項目名】００２１
【補正方法】変更
【補正の内容】
【００２１】
本考案は、プロジェクターから投射される映像を映し出す投映用のスクリーン装置に関するものであり、塀本体は、一対の縦板、上板、下板、及び一対のパネル材が一体化された六面構造であるため、各方向から働く応力に対して強度が高くなる。また、連結桟部材を備えるため、さらに強度が補強され、一層剛性の高い構造となる。また、木材製で中空構造であるため、コンクリートブロック塀やコンクリート塀に比べて非常に軽くなる。したがって、スクリーン装置の高さを大きな値に設定しても、補強材を用いることなく塀材として必要とされる強度を実現することが可能となる。つまり、本考案では、コンクリートブロック塀やコンクリート塀でスクリーン装置を構成する場合と比べ、スクリーン装置における高さの自由度が高くなり、法律や設計基準による制限を受けることなく、大きな投映面を形成することが可能になる。
【手続補正７】
【補正対象書類名】明細書
【補正対象項目名】００２９
【補正方法】変更
【補正の内容】
【００２９】
スクリーン装置３は、仕切壁１３の上に設置された塀材１５からなり、イス１２に腰掛けた際の目の高さと略一致する高さに配置されている。図２（ａ）に示すように、スクリーン装置３は、Ｌ字形の仕切壁１３（図１参照）の形状と合致するように、居住空間２に対向する本体部１６と、本体部１６の右端部から外側に向かって延出されたサイド部１７とから構成され、平面視Ｌ字形の形状を呈している。そして、本体部１６における居住空間２に面する側の平坦な壁面１８が、映像を映し出す投映面２０となっている。なお、投映面２０の大きさは特に限定されるものではないが、本例では、スクリーンのサイズが１００型となるように、幅が２１００ｍｍ、高さが１３００ｍｍの値に設定されている。また、図２（ｂ）に示すように、本体部１６における外側の壁面には二つの凹部２１が形成されている。この凹部２１は、塀材１５の意匠性を高めるためのものであり、その内部に、ガラス製のレンズ（図示しない）と、そのレンズを通して光を放射するＬＥＤ（図示しない）が収容されるように形成されている。ここで、塀材１５が本考案のスクリーン装置及び軽量部材に相当する。
【手続補正８】
【補正対象書類名】明細書
【補正対象項目名】００４５
【補正方法】変更
【補正の内容】
【００４５】
１  屋外用投映システム
２  屋外の居住空間
３  スクリーン装置
４  プロジェクター
１３  仕切壁
１５  塀材（スクリーン装置，軽量部材）
１８  壁面
２０  投映面
２２  塀本体
２３  縦板
２４  上板
２５  下板
２６  枠体
２７  内側パネル材（パネル材）
２８  外側パネル材（パネル材）
３０  縦桟部材（連結桟部材）
３１  横桟部材（連結桟部材）
４１  被覆層（モルタル層，防水層）